(57)【要約】【課題】放熱性の高い外装部材を提供する。また、外装部材を備えたワイヤハーネスを提供する。【解決手段】ワイヤハーネス９は、外装部材２４と、この外装部材２４に挿通される一又は複数本の導電路２２とを備えて構成される。外装部材２４は、内側に導電路２２が挿通される樹脂製の第一外装本体２９と、この第一外装本体２９の外側に設けられて車両床下１１に固定される外装固定部３０と、第一外装本体２９に設けられる導電路接触部３２とを備えて構成される。導電路接触部３２は、第一外装本体２９の内側において導電路２２が接触可能な位置に配置される部分であり、且つ、第一外装本体２９と比べて熱伝導率が高くなる部分であり、且つ、外装固定部３０まで延在する部分である。外装部材２４は、第一外装本体２９の軸方向の一端及び／又は他端に連続し且つ導電路２２が挿通される樹脂製の第二外装本体３６を更に備えて構成される。【選択図】図３
2020108185.tif 000002
【特許請求の範囲】
【請求項１】
内側に一又は複数本の導電路が挿通される樹脂製の第一外装本体と、該第一外装本体の外側に設けられて相手固定部材に固定される外装固定部と、前記第一外装本体に設けられる導電路接触部とを備え、
該導電路接触部は、前記内側において前記導電路が接触可能な位置に配置される部分であり且つ前記第一外装本体と比べて熱伝導率が高くなる部分であり且つ前記外装固定部まで延在する部分である
ことを特徴とする外装部材。
【請求項２】
請求項１に記載の外装部材において、
前記第一外装本体の軸方向の一端及び／又は他端に連続し且つ前記導電路が挿通される樹脂製の第二外装本体を備え、該第二外装本体は、前記第一外装本体と比べて前記軸方向の長さが長くなる筒形状部分である
ことを特徴とする外装部材。
【請求項３】
請求項２に記載の外装部材と、該外装部材の第一外装本体及び第二外装本体に挿通される一又は複数本の導電路とを備える
ことを特徴とするワイヤハーネス。
【請求項４】
請求項３に記載のワイヤハーネスにおいて、
前記第二外装本体の内面及び前記導電路の外面に接触して該外面から前記内面に前記導電路の熱を伝える伝熱部材を備える
ことを特徴とするワイヤハーネス。
【請求項５】
請求項３又は４に記載のワイヤハーネスにおいて、
前記導電路は複数本であり、前記第二外装本体における前記複数本の導電路同士の接触を規制するスペーサを備え、該スペーサは、前記複数本の導電路と比べて熱伝導率が低くなるものである
ことを特徴とするワイヤハーネス。
【請求項６】
請求項３、４又は５に記載のワイヤハーネスにおいて、
前記外装部材は、相手固定部材となる車両床下に配置固定される
ことを特徴とするワイヤハーネス。
【発明の詳細な説明】
【技術分野】
【０００１】
本発明は、導電路が挿通される外装部材に関する。また、本発明は、外装部材及び導電路を備えるワイヤハーネスに関する。
【背景技術】
【０００２】
例えば、電気自動車やハイブリッド自動車など、駆動源にモータを用いる車両には、バッテリーとインバータとを電気的に接続するための高電圧用のワイヤハーネスが配索される。ワイヤハーネスは、電線等である導電路と、この導電路が挿通される外装部材とを備えて構成される。ワイヤハーネスは、この使用時において導電路に熱が生じることから、下記特許文献１では、外装部材を熱伝導率のよい金属パイプにして、導電路に生じた熱を外部に逃がすことができるようにしている。
【先行技術文献】
【特許文献】
【０００３】
【特許文献１】特開２０１４−８２９０９号公報
【発明の概要】
【発明が解決しようとする課題】
【０００４】
上記従来技術にあっては、外装部材として金属パイプを採用しているが、近年では樹脂製の外装部材のニーズが高まっている。そのため、樹脂製の外装部材であっても導電路に生じた熱を金属パイプと同様に外部に逃がすことができるようにする必要がある。
【０００５】
本発明は、上記した事情に鑑みてなされたもので、放熱性の高い外装部材の提供を課題とする。また、外装部材を備えたワイヤハーネスの提供も課題とする。
【課題を解決するための手段】
【０００６】
上記課題を解決するためになされた請求項１に記載の本発明の外装部材は、内側に一又は複数本の導電路が挿通される樹脂製の第一外装本体と、該第一外装本体の外側に設けられて相手固定部材に固定される外装固定部と、前記第一外装本体に設けられる導電路接触部とを備え、該導電路接触部は、前記内側において前記導電路が接触可能な位置に配置される部分であり且つ前記第一外装本体と比べて熱伝導率が高くなる部分であり且つ前記外装固定部まで延在する部分であることを特徴とする。
【０００７】
このような請求項１の特徴を有する本発明によれば、導電路に生じた熱を導電路接触部及び外装固定部に伝え、そして、この伝わった熱を相手固定部材に逃がして放熱を実現する構造のものであることから、樹脂製であっても放熱性の高い外装部材を提供することができる。また、本発明によれば、放熱性を高めることから、導電路の使用環境温度を下げることができ、以て導電路の細径化や、細径化による導電路の重量軽減を図ることができる。
【０００８】
請求項２に記載の本発明は、請求項１に記載の外装部材において、前記第一外装本体の軸方向の一端及び／又は他端に連続し且つ前記導電路が挿通される樹脂製の第二外装本体を備え、該第二外装本体は、前記第一外装本体と比べて前記軸方向の長さが長くなる筒形状部分であることを特徴とする。
【０００９】
このような請求項２の特徴を有する本発明によれば、導電路の挿通部分として第一外装本体及び第二外装本体を有し、そして、これらのうち外装固定部がある第一外装本体に導電路接触部を設けてこれを放熱に寄与させるようにした構造のものであることから、効率よく放熱を行うことができる。
【００１０】
また、上記課題を解決するためになされた請求項３に記載の本発明のワイヤハーネスは、請求項２に記載の外装部材と、該外装部材の第一外装本体及び第二外装本体に挿通される一又は複数本の導電路とを備えることを特徴とする。
【００１１】
このような請求項３の特徴を有する本発明によれば、放熱性の高い樹脂製の外装部材を備えることから、ワイヤハーネスとしても放熱性を高めることができる。
【００１２】
請求項４に記載の本発明は、請求項３に記載のワイヤハーネスにおいて、前記第二外装本体の内面及び前記導電路の外面に接触して該外面から前記内面に前記導電路の熱を伝える伝熱部材を備えることを特徴とする。
【００１３】
このような請求項４の特徴を有する本発明によれば、導電路に生じた熱を伝熱部材を介して第二外装本体に伝える構造のものであることから、第二外装本体を介してこの伝わった熱を外部に逃がすことができる。すなわち、外装部材の第二外装本体の外面部分でも放熱を実現することができる。また、第二外装本体の外面部分で放熱することができれば、第二外装本体の内側に熱がこもり難くなることから、結果、導電路の使用環境温度を更に下げることができ、以て導電路の細径化や、細径化による導電路及びワイヤハーネスの重量軽減を図ることができる。
【００１４】
請求項５に記載の本発明は、請求項３又は４に記載のワイヤハーネスにおいて、前記導電路は複数本であり、前記第二外装本体における前記複数本の導電路同士の接触を規制するスペーサを備え、該スペーサは、前記複数本の導電路と比べて熱伝導率が低くなるものであることを特徴とする。
【００１５】
このような請求項５の特徴を有する本発明によれば、複数本の導電路同士の接触を規制するためのスペーサを備えることから、導電路相互の熱による影響を軽減することができる。
【００１６】
請求項６に記載の本発明は、請求項３、４又は５に記載のワイヤハーネスにおいて、前記外装部材は、相手固定部材となる車両床下に配置固定されることを特徴とする。
【００１７】
このような請求項６の特徴を有する本発明によれば、外装部材が車両床下に配置固定されることから、外部に晒された外装部材の放熱をし易くすることができる。
【発明の効果】
【００１８】
本発明によれば、放熱性の高い外装部材やワイヤハーネスを提供することができるという効果を奏する。
【図面の簡単な説明】
【００１９】
【図１】本発明の外装部材及びワイヤハーネスの一実施形態を示す図であり、（ａ）は高電圧のワイヤハーネスの配索状態を示す模式図、（ｂ）は（ａ）とは別の低電圧のワイヤハーネスの配索状態を示す模式図である。
【図２】図１の外装部材を構成する第一外装部材の平面図である。
【図３】図２の第一外装部材内側での導電路の状態を示す平面図である。
【図４】外装部材の他の例を示す構成図である。
【図５】図１又は図４の外装部材における第二外装部材の位置でのワイヤハーネスの断面図である。
【図６】図５の伝熱部材の配置に関する説明図である。
【図７】他の例として、図１又は図４の外装部材における第二外装部材の位置でのワイヤハーネスの図であり、（ａ）は断面図、（ｂ）は（ａ）のスペーサの斜視図である。
【図８】他の例として、図１又は図４の外装部材における第二外装部材の位置でのワイヤハーネスの図であり、（ａ）は断面図、（ｂ）は（ａ）のスペーサの斜視図である。
【発明を実施するための形態】
【００２０】
ワイヤハーネスは、外装部材と、この外装部材に挿通される一又は複数本の導電路とを備えて構成される。外装部材は、内側に導電路が挿通される樹脂製の第一外装本体と、この第一外装本体の外側に設けられて相手固定部材に固定される外装固定部と、第一外装本体に設けられる導電路接触部とを備えて構成される。導電路接触部は、第一外装本体の内側において導電路が接触可能な位置に配置される部分であり、且つ、第一外装本体と比べて熱伝導率が高くなる部分であり、且つ、外装固定部まで延在する部分である。外装部材は、第一外装本体の軸方向の一端及び／又は他端に連続し且つ導電路が挿通される樹脂製の第二外装本体を更に備えて構成される。第二外装本体は、第一外装本体と比べて軸方向の長さが長くなる筒形状部分である。
【実施例】
【００２１】
以下、図面を参照しながら実施例を説明する。図１は本発明の外装部材及びワイヤハーネスの一実施形態を示す図であり、（ａ）は高電圧のワイヤハーネスの配索状態を示す模式図、（ｂ）は（ａ）とは別の低電圧のワイヤハーネスの配索状態を示す模式図である。また、図２は図１の外装部材を構成する第一外装部材の平面図、図３は図２の第一外装部材内側での導電路の状態を示す平面図、図４は外装部材の他の例を示す構成図である。
【００２２】
また、図５は図１又は図４の外装部材における第二外装部材の位置でのワイヤハーネスの断面図、図６は図５の伝熱部材の配置に関する説明図、図７及び図８は他の例として、図１又は図４の外装部材における第二外装部材の位置でのワイヤハーネスの図であり、（ａ）は断面図、（ｂ）は（ａ）のスペーサの斜視図である。
【００２３】
本実施例においては、ハイブリッド自動車に配索されるワイヤハーネスの外装部材等に対し本発明を採用するものとする。尚、ハイブリッド自動車に限らず、ＰＨＶや電気自動車のようなモータを駆動源とする自動車、或いは、エンジンのみで走行する一般的な自動車等であってもよいものとする。エンジンに関しては、発電のためだけに用いるものであってもよいものとする。この他、燃料電池自動車や自動運転車両であってもよいものとする。
【００２４】
＜ハイブリッド自動車１の構成について＞
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内の位置に搭載してもよいものとする）。
【００２５】
モータユニット３とインバータユニット４は、高圧のワイヤハーネス８（高電圧用のモーターケーブル）により接続される。また、バッテリー５とインバータユニット４も高圧のワイヤハーネス９により接続される。ワイヤハーネス９は、この中間部１０が車両における（車体における）車両床下１１に配索される。また、中間部１０は、車両床下１１に沿って略平行に配索される。車両床下１１は、公知のボディ（車体）であるとともに所謂パネル部材であって、所定位置には貫通孔が形成される。この貫通孔には、ワイヤハーネス９が水密に挿通される。
【００２６】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００２７】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりなる。尚、例えばキャパシタのような蓄電装置を使用することも可能である。バッテリー５は、ハイブリッド自動車１や電気自動車等に使用可能な高電圧用のものであれば特に限定されないのは勿論である。
【００２８】
図１（ｂ）において、引用符号１５はワイヤハーネスを示す。ワイヤハーネス１５は、低圧の（低電圧用の）ものであって、ハイブリッド自動車１における自動車後部７の低圧バッテリー１６と、自動車前部１７に搭載される補器１８（機器）とを電気的に接続するために備えられる。ワイヤハーネス１５は、図１（ａ）のワイヤハーネス９と同様に、車両床下１１を通って配索される（一例であり、車室側を通って配索されてもよいものとする）。ワイヤハーネス１５における引用符号１９はハーネス本体を示す。また、引用符号２０はコネクタを示す。
【００２９】
図１（ａ）及び（ｂ）に示す如く、ハイブリッド自動車１には、高圧のワイヤハーネス８、９及び低圧のワイヤハーネス１５が配索される。本発明は、いずれのワイヤハーネスであっても適用可能であるが、代表例として高圧のワイヤハーネス９を挙げて以下に説明をする。先ず、ワイヤハーネス９の構成及び構造について説明をする。
【００３０】
＜ワイヤハーネス９の構成について＞
図１（ａ）において、車両床下１１を通って配索される長尺なワイヤハーネス９は、ハーネス本体２１と、このハーネス本体２１の両端末（ハーネス端末１３）にそれぞれ配設されるシールドコネクタ１４（外部接続手段）とを備えて構成される。また、ワイヤハーネス９は、これ自身を所定位置に配索するためのクランプＣ（図４参照）と、図示しない止水部材（例えばグロメット等）とを備えて構成される。
【００３１】
＜ハーネス本体２１の構成について＞
図１ないし図３において、ハーネス本体２１は、二本の長尺な導電路２２と、この導電路２２を一括して覆うシールド部材２３と、シールド部材２３に覆われた二本の導電路２２が内側に挿通される外装部材２４とを備えて構成される。ハーネス本体２１における外装部材２４は、本発明の特徴部分である。ハーネス本体２１は、上記構成に限らず、後述する伝熱部材４３（図５参照）やスペーサ４７、５０（図７及び図８参照）を構成に含んでもよいものとする。
【００３２】
＜導電路２２について＞
図２、図３、及び図５において、導電路２２は、導電性の導体２５と、この導体２５を被覆する絶縁性の絶縁体２６とを備えて構成される。導電路２２は、本実施例において、シースの存在しないものが採用される（一例であるものとする）。導電路２２は、これにシースが存在しないことから、その分、軽量なものになる（導電路２２は長尺であることから、シースがあるものと比べ大幅に軽量化を図ることができる）。
【００３３】
導体２５は、銅や銅合金、或いはアルミニウムやアルミニウム合金により断面円形に形成される。導体２５に関しては、素線を撚り合わせてなる導体構造のものや、断面円形（丸形）になる棒状の導体構造（例えば丸単心となる導体構造であり、この場合、導電路自体も棒状となる）のものの、いずれであってもよいものとする。以上のような導体２５は、この外面に絶縁性の樹脂材料からなる絶縁体２６が押出成形される。
【００３４】
絶縁体２６は、熱可塑性樹脂材料を用いて導体２５の外周面に押出成形される。絶縁体２６は、断面円形状の被覆として形成される。絶縁体２６は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。
【００３５】
＜シールド部材２３について＞
図２ないし図５において、シールド部材２３は、二本の導電路２２を一括して覆うものであって、本実施例においては編組が採用される（一例であるものとする。金属箔や、金属箔を踏むシート等であってもよいものとする）。シールド部材２３は、シールド機能を発揮させるために設けられる。上記編組（シールド部材２３）は、導電性を有する極細の素線を編んで筒状に形成される。また、編組は、絶縁体２６の一端から他端にかけて外周面全体を覆うような形状及びサイズに形成される。尚、シールド部材２３は、二本の導電路２２に対し一本一本覆ってもよいものとする。
【００３６】
＜外装部材２４について＞
図１ないし図３において、外装部材２４は、絶縁性を有する樹脂材料を用いて成形される樹脂成形品であって、第一外装部材２７と、第二外装部材２８とを備えて構成される。外装部材２４は、第一外装部材２７と第二外装部材２８とを組み合わせて、シールド部材２３で覆われた二本の導電路２２を収容・保護することができるように形成される。また、外装部材２４は、第一外装部材２７と第二外装部材２８との部分を車両床下１１の所定位置に配置固定することができるように形成される。
【００３７】
＜第一外装部材２７について＞
図１ないし図３において、第一外装部材２７は、上記収容・保護のための構造の他に、導電路２２に生じた熱を車両床下１１（相手固定部材）に逃がすための放熱構造も有する。第一外装部材２７は、樹脂成形品であって、上記放熱構造を有するために、第一外装本体２９と、外装固定部３０と、カラー３１と、導電路接触部３２と、導電路保持部３３とを備えて構成される。尚、第一外装部材２７は、車両床下１１の二箇所（前側と後側）に配置固定されるような図示であるが、この数及び固定位置は一例であるものとする。以下、第一外装部材２７の上記構成について説明をする。
【００３８】
＜第一外装本体２９について＞
図２及び図３において、第一外装本体２９は、シールド部材２３で覆われた二本の導電路２２を収容・保護するためのケース３４及びカバー３５を備えて構成される。ケース３４は、図３に示す如く平面視矩形で有底の箱形に形成される。具体的には、浅底になる底壁と、第一外装部材２７の軸方向に平行な一対の長い側壁と、第一外装部材２７の一端及び他端に配置される一対の短い側壁とを有して箱形に形成される（各壁の符号は省略）。ケース３４における一対の短い側壁には、係合部分が形成される。この係合部分は、第二外装部材２８の後述する第二外装本体３６が係合する部分に形成される。一対の長い側壁には、外装固定部３０が一体に形成される。外装固定部３０は、本実施例において、三箇所に形成される。底壁には、上記三箇所の位置に合わせて導電路接触部３２が配設される。一方、カバー３５は、この内面がケース３４の開口を覆う部分に形成される。また、カバー３５の外面は、車両床下１１（図１参照）に対向する面に形成される。尚、カバー３５は、ケース３４の開口を水密に覆うことができる形状が好ましいものとする。
【００３９】
＜外装固定部３０及びカラー３１について＞
図２及び図３において、外装固定部３０は、第一外装部材２７を車両床下１１（図１参照）に固定するために備えられる。外装固定部３０は、第一外装本体２９の外側に短く突出するような脚状部分に形成される。外装固定部３０は、上記の如く三箇所に配置形成される。このような外装固定部３０には、金属製で円筒形状のカラー３１がインサート成形により一体に設けられる。尚、カラー３１は、外装固定部３０及び第一外装本体２９における樹脂成形部分に比べて熱伝導率が高くなるものが採用される。また、カラー３１は、固定用の図示しないボルト（図４のボルトＢと基本的に同じ）が挿通されるようなものが採用される。カラー３１の一方の端部は、車両床下１１に対し面接触するような平坦な面に形成される。
【００４０】
＜導電路接触部３２について＞
図２及び図３において、導電路接触部３２は、第一外装本体２９におけるケース３４の上記底壁及び一対の長い側壁に跨るように設けられる。また、導電路接触部３２は、一対の長い側壁の部分から外装固定部３０のカラー３１まで延在するように設けられる。導電路接触部３２は、導電路２２に生じた熱を車両床下１１（相手固定部材）に逃がすための放熱構造を構成する部分であって、第一外装本体２９におけるケース３４及び外装固定部３０における樹脂成形部分に比べて熱伝導率が高くなるものをインサート成形することにより一体に設けられる。導電路接触部３２としては、例えばカラー３１と同じ又は同様の材質の金属部材が挙げられる（一例であるものとする。シールド部材２３と同じ又は同様の材質のものであってもよいものとする）。導電路接触部３２は、ケース３４の上記底壁に対し面一に、又は、若干底壁から突出するような状態に配置形成される。導電路接触部３２は、シールド部材２３で覆われた二本の導電路２２が接触するように設けられる。導電路接触部３２は、本実施例において、上記軸方向に対し交差する方向（直交方向）にのびるような形状に形成される。尚、導電路接触部３２は、シールド部材２３で覆われた二本の導電路２２が比較的長く接するような、上記軸方向にのびる部分を含ませてもよいものとする。
【００４１】
＜導電路保持部３３について＞
図３において、導電路保持部３３は、シールド部材２３で覆われた二本の導電路２２が導電路接触部３２に接触したままの状態になるようにするためのものであって、本実施例においては、公知の結束バンドが採用される。導電路保持部３３は、第一外装本体２９におけるケース３４の上記底壁に対し適宜方法で固定される。
【００４２】
＜第一外装部材２７の効果について＞
図１ないし図３において、第一外装部材２７は、導電路２２に生じた熱を導電路接触部３２及び外装固定部３０のカラー３１に伝え、そして、この伝わった熱を車両床下１１（相手固定部材）に逃がして放熱を実現する構造のものであることから、第一外装部材２７が樹脂製（樹脂成形品）のものであっても放熱性を高めることができる。また、上記の如く放熱性を高めることから、導電路２２の使用環境温度を下げることができ、以て導電路２２の細径化や、細径化による導電路２２の重量軽減を図ることができる。
【００４３】
＜第二外装部材２８について＞
図１ないし図３において、第二外装部材２８は、第一外装部材２７の上記一端及び他端に連続する筒形状の部分であって、この内側にシールド部材２３で覆われた二本の導電路２２が挿通される。第二外装部材２８は、樹脂成形品であって、シールド部材２３で覆われた二本の導電路２２を収容・保護することができるように形成される。第二外装部材２８は、本実施例において、これ自身が第二外装本体３６になるように形成される。第二外装部材２８（第二外装本体３６）としては、例えば図示のような蛇腹管形状のコルゲートチューブが採用される。尚、本実施例においては、断面円形状のコルゲートチューブを採用するが、例えば断面長円形状や矩形状等の形状のものであってもよいものとする。第二外装部材２８（第二外装本体３６）としてコルゲートチューブが採用されるが、これ以外としては次のようなものが挙げられる（図４参照）。
【００４４】
＜他の例となる外装部材３７について＞
図４において、他の例となる外装部材３７は、絶縁性を有する樹脂材料を用いて成形される樹脂成形品であって、第一外装部材３８と、第二外装部材３９とを備えて構成される。外装部材３７は、第一外装部材３８と第二外装部材３９とを組み合わせて、シールド部材２３で覆われた二本の導電路２２を収容・保護することができるように形成される。また、外装部材３７は、第一外装部材３８と第二外装部材３９との部分を車両床下１１に配置固定することができるように形成される。尚、第一外装部材３８は、図２及び図３の第一外装部材２７と基本的に同じものであり、ここでは説明を省略するものとする。
【００４５】
＜第二外装部材３９について＞
図４において、第二外装部材３９は、第一外装部材３８の一端及び他端に連続する筒形状の部分であって、腹割きなしの形状に形成される（別な言い方をすれば、スリットのない形状に形成される（割チューブでない形状に形成される））。第二外装部材３９は、可撓性の可撓管部４０と、シールド部材２３で覆われた二本の導電路２２をストレートに配索する部分としてのストレート管部４１とを有して図示形状に形成される。第二外装部材３９は、可撓管部４０とストレート管部４１とを管軸ＣＬ方向に複数並べて形成される。また、可撓管部４０とストレート管部４１とを交互に配置して形成される。
【００４６】
可撓管部４０は、相手固定部材４２の形状に合わせて配置される。可撓管部４０は、ワイヤハーネス９の梱包状態や輸送時、さらには車両への経路配索時に、それぞれ所望の角度で撓ませることができるように形成される。可撓管部４０は、撓ませて曲げ形状にすることができるとともに、真っ直ぐな元の状態（樹脂成形時の状態）に戻すこともできるように形成される。可撓管部４０は、蛇腹凹部及び蛇腹凸部を有する蛇腹管形状に形成される。
【００４７】
ストレート管部４１は、可撓管部４０のような可撓性を持たない部分として形成される。また、ストレート管部４１は、梱包状態や輸送時、さらには経路配索時において曲がらない部分としても形成される（曲がらない部分とは、可撓性を積極的に持たせない部分という意味である）。ストレート管部４１は、直管形状に形成される。ストレート管部４１の外周面は、凹凸のない形状に形成される。ストレート管部４１は、可撓管部４０と比べ、リジッドな部分に形成される。このようなストレート管部４１には、クランプＣが取り付けられる。クランプＣは、ボルトＢにて相手固定部材４２に固定される。
【００４８】
＜他の例となるハーネス本体２１の構成について＞
図５及び図６において、他の例となるハーネス本体２１は、二本の長尺な導電路２２と、この導電路２２を一括して覆うシールド部材２３と、シールド部材２３に覆われた二本の導電路２２が内側に挿通される外装部材２４（又は図４の外装部材３７）と、この外装部材２４の内側に設けられる伝熱部材４３とを備えて構成される。ここでは、伝熱部材４３が本発明の特徴部分になる。
【００４９】
＜伝熱部材４３について＞
図５及び図６において、伝熱部材４３は、第二外装部材２８（又は図４の第二外装部材３９）の位置に配設される。伝熱部材４３は、シールド部材２３に覆われた二本の導電路２２に対し後付けされる部材であって、第二外装部材２８における第二外装本体３６の内面４４及びシールド部材２３（導電路２２の外面に相当する部分）に接触して、シールド部材２３（の外面）から第二外装本体３６の内面４４に導電路２２で生じた熱を伝えることができるように形成される。尚、伝わった熱は、第二外装本体３６の外面が車両走行中に外気に晒され、結果、放熱される。
【００５０】
伝熱部材４３は、上記からも分かるように、第二外装本体３６の内面４４及びシールド部材２３に接触するような形状に形成される。この他、伝熱部材４３は、第二外装本体３６の内側に熱がこもらないようにするため、密閉空間を生じさせない形状に形成される。また、伝熱部材４３は、第二外装本体３６の内側に、シールド部材２３に覆われた二本の導電路２２を挿通し易くする形状に形成される。具体的には、環状の導電路側接触部４５と、この導電路側接触部４５から第二外装本体３６の内面４４に向けて放射状に突出する複数の放射状リブ４６とを有して図示形状に伝熱部材４３は形成される。
【００５１】
伝熱部材４３は、本実施例において、シールド部材２３の所定位置に樹脂成形にて設けられる。複数の放射状リブ４６は、第二外装本体３６の内面４４までの距離に合わせて各々長さが異なるように突出形成される。複数の放射状リブ４６は、隣り合うリブ同士が近接離間可能な可撓性を有するように形成される。また、複数の放射状リブ４６は、第二外装本体３６が例えば蛇腹管形状であっても、リブ先端が蛇腹凹部に引っ掛からないような形状に形成される。すなわち、リブ先端の管軸方向の長さが蛇腹凹部の凹幅よりも長くなる形状に形成される。伝熱部材４３は、図６の範囲Ｈ１に示す如く断続的な配置、及び／又は、範囲Ｈ２に示す如く連続的な配置にて形成される。
【００５２】
伝熱部材４３は、伝熱のための機能（放熱のための機能）の他に、第二外装本体３６の内側における導電路２２のバタツキを防止するための機能も有する。また、剛性を高めるための機能も有する。伝熱部材４３は、多機能な部材である。
【００５３】
＜伝熱部材４３の効果について＞
図５及び図６において、伝熱部材４３は、導電路２２に生じた熱を第二外装本体３６に伝えることから、第二外装本体３６を介して熱を外部に逃がすことができる。すなわち、第二外装本体３６の部分においても放熱を実現することができる。第二外装本体３６の部分で放熱できれば、第二外装本体３６の内側に熱がこもり難くなることから、導電路２２の使用環境温度を更に下げることができ、以て導電路２２の細径化や、細径化による導電路２２及びワイヤハーネス９の重量軽減を図ることができる。
【００５４】
＜他の例となるハーネス本体２１の構成について＞
図７において、他の例となるハーネス本体２１は、二本の長尺な導電路２２と、この導電路２２を一括して覆うシールド部材（図示省略。図５のシールド部材２３が参考になる）と、二本の導電路２２同士の接触を規制するためのスペーサ４７と、このスペーサ４７と共に二本の導電路２２が内側に挿通される外装部材２４（又は図４の外装部材３７）とを備えて構成される。ここでは、スペーサ４７が本発明の特徴部分になる。
【００５５】
＜スペーサ４７について＞
図７において、スペーサ４７は、二本の導電路２２と比べて熱伝導率が低くなる樹脂材料を用いて成形される樹脂成形品であって、スリット４８を有する円筒部４９を図示の如く並べて一体化したものである。スペーサ４７は、管軸方向の長さＬが適宜長さに設定される。長さＬが短い場合には、スペーサ４７が断続的に配置されるように二本の導電路２２に対し組み付けられる。また、長さＬが長い場合には、連続的に接触を規制するように二本の導電路２２に対し組み付けられる（スペーサ４７の数や配置は特に限定されないものとする）。尚、導電路２２が三本の場合は、スリット４８を有する円筒部４９をもう一つ一体化すればよいものとする。
【００５６】
スペーサ４７は、図７の形状に限らないものとする。例えば図８に示すような形状であってもよいものとする。
【００５７】
＜他の例となるハーネス本体２１の構成について＞
図８において、他の例となるハーネス本体２１は、三本の長尺な導電路２２と、この導電路２２を一括して覆うシールド部材（図示省略。図５のシールド部材２３が参考になる）と、三本の導電路２２同士の接触を規制するためのスペーサ５０と、このスペーサ５０と共に三本の導電路２２が内側に挿通される外装部材２４（又は図４の外装部材３７）とを備えて構成される。ここでは、スペーサ５０が本発明の特徴部分になる。
【００５８】
＜スペーサ５０について＞
図８において、スペーサ５０は、三本の導電路２２と比べて熱伝導率が低くなる樹脂材料を用いて成形される樹脂成形品であって、１２０度ピッチで三枚の板５１を略Ｙ字状に並べて一体化したものである。スペーサ５０は、管軸方向の長さＬが適宜長さに設定される。長さＬが短い場合には、スペーサ５０が断続的に配置されるように三本の導電路２２に対し組み付けられる。また、長さＬが長い場合には、連続的に接触を規制するように三本の導電路２２に対し組み付けられる。尚、スペーサ５０の数や配置は特に限定されないものとする。
【００５９】
＜スペーサ４７、５０の効果について＞
図７及び図８において、スペーサ４７、５０は、複数本の導電路２２同士の接触を規制するための部材であることから、導電路２２相互の熱の影響を軽減することができる。
【００６０】
＜全体的な効果について＞
以上、図１ないし図８を参照しながら説明してきたように、本発明の一実施形態である外装部材２４やワイヤハーネス９によれば、放熱性の高いものを提供することができるという効果を奏する。
【００６１】
本発明は本発明の主旨を変えない範囲で種々変更実施可能なことは勿論である。
【符号の説明】
【００６２】
１…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下（相手固定部材）、  １２…ジャンクションブロック、  １３…ハーネス端末、  １４…シールドコネクタ、  １５…ワイヤハーネス、  １６…低圧バッテリー、  １７…自動車前部、  １８…補器、  １９…ハーネス本体、  ２０…コネクタ、  ２１…ハーネス本体、  ２２…導電路、  ２３…シールド部材、  ２４…外装部材、  ２５…導体、  ２６…絶縁体、  ２７…第一外装部材、  ２８…第二外装部材、  ２９…第一外装本体、  ３０…外装固定部、  ３１…カラー、  ３２…導電路接触部、  ３３…導電路保持部、  ３４…ケース、  ３５…カバー、  ３６…第二外装本体、  ３７…外装部材、  ３８…第一外装部材、  ３９…第二外装部材、  ４０…可撓管部、  ４１…ストレート管部、  ４２…相手固定部材、  ４３…伝熱部材、  ４４…内面、  ４５…導電路側接触部、  ４６…放射状リブ、  ４７…スペーサ、  ４８…スリット、  ４９…円筒部、  ５０…スペーサ、  ５１…板、  Ｂ…ボルト、  Ｃ…クランプ
【図１】
2020108185.tif 000003
【図２】
2020108185.tif 000004
【図３】
2020108185.tif 000005
【図４】
2020108185.tif 000006
【図５】
2020108185.tif 000007
【図６】
2020108185.tif 000008
【図７】
2020108185.tif 000009
【図８】
2020108185.tif 000010